(57)【要約】【課題】  オーディオビジュアルプログラムの記録予約をたくさんの条件を入力する必要なく簡単に行うことができる。【解決手段】  予約終了後から記録開始までの待ち時間を設定できるようにして簡略化した記録予約操作を簡略化した。これにより、通常の記録予約のために参照できる記録履歴データを増やすことが容易にでき、記録予約操作の簡略に寄与する。【選択図】        図１
2005175661.tif 000002
【特許請求の範囲】
【請求項１】
オーディオビジュアルプログラムの記録予約の設定が終了した時点を決定する手段、および、予約設定終了時点から記録開始するまでの待ち時間を設定する手段を有し、待ち時間終了後、記録を開始させるようにしたオーディオビジュアル機器。
【請求項２】
オーディオビジュアルプログラムの記録予約の設定が終了した時点を決定する手段、および、予約設定終了時点から記録開始するまでの待ち時間を設定する手段を有し、待ち時間終了後、記録を開始させるようにし、さらに、当該予約記録の履歴データを蓄積する手段を有するオーディオビジュアル機器。
【発明の詳細な説明】
【技術分野】
【０００１】
この発明はプログラムの記録予約操作を簡略化したオーディオビジュアル機器に関する。とくに、所定時間後の記録したいプログラムの記録予約を行うことができるオーディオビジュアル機器に関する。
【背景技術】
【０００２】
従来の機器は、たとえば、ＶＣＲはオーディオビジュアルプログラム記録予約機能を備えている。通常のプログラム記録の予約操作は、予約条件を入力するために、何度もキーを押す必要があり、負担が大きい。そのために、予約条件を入力するのを簡便化するために、たとえば、プログラム記録の履歴をメモリーに残して、これを利用して新たな予約条件の入力を省略したりできる。しかし、負担が大きな予約操作により、記録が行われて十分な数の履歴が蓄積される必要がある。
【０００３】
特開平６−２９０５１０号公報は、録画後にまたは視聴後に履歴を残し、プログラムデータと比較して一致した場合、自動的に履歴に従った予約が設定できることが開示されている。また、特開平１０−１０６０６３号公報では、録画開始時刻と録画時間をリンクさせたパターンデータをマイコンに記憶させておき、そのパターンを予約時に読み出して、利用して、予約操作を簡便化しようとする試みがなされている。また、ワンタッチタイマーレコーディング機能を備えた録画装置も知られている。この機能は、特開平１０−１０６０６３号公報によると、ワンタッチタイマーレコーディングスイッチを押すとその時点から直ちに録画が開始され、スイッチの押し回数により、所望の録画時間が設定されるので、簡便な録画が行える。
【０００４】
【特許文献１】特開平６−２９０５１０号公報
【特許文献２】特開平１０−１０６０６３号公報
【発明の開示】
【発明が解決しようとする課題】
【０００５】
上記の従来技術によると、オーディオビジュアル記録、すなわち、録画予約を簡便に行うためには、録画パターンを作製する必要があった。最初に視聴か録画によって履歴を作成しておく必要があった。また、ワンタッチタイマーレコーディング機能は、スイッチを押した現在から録画が実行され、録画継続時間を予約設定できるものの、予約開始時刻を設定できず、十分な記録予約を実行できない。
【０００６】
この発明は、上記の従来技術の録画パターンのデータ作成や履歴の生成を必要としないで、簡便に、オーディオビジュアルプログラムの記録予約を行うオーディオビジュアル機器を提供する。
【課題を解決するための手段及び発明の効果】
【０００７】
この課題はオーディオビジュアルプログラムの記録予約の設定が終了した時点を決定する手段、および、予約設定終了時点から記録開始するまでの待ち時間を設定する手段を有し、待ち時間終了後、記録を開始させるようにしたオーディオビジュアル機器を提供することによって解決される。また、オーディオビジュアルプログラムの記録予約の設定が終了した時点を決定する手段、および、予約設定終了時点から記録開始するまでの待ち時間を設定する手段を有し、待ち時間終了後、記録を開始させるようにし、さらに、当該予約記録の履歴データを蓄積する手段を有するオーディオビジュアル機器を提供することによって、記録予約操作を行うときに参照するべき記録履歴データを増大させて、予約操作を斬新敵に簡略化できる。
【発明を実施するための最良の形態】
【０００８】
この発明による実施例を説明する。オーディオビジュアルプログラムを視聴中に、オーディオビジュアル機器の適当場所に、図３に示すようにリモートコントロールユニットにおいて電源スイッチＰの近傍に配置してもよい特定キースイッチ（このキーは他の機能を併せ持ってもよい）を押すと、ワンタッチタイマーレコーディングスイッチと同じように、図１のように、クイック録画時間設定と待ち時間設定または現在の時刻を表示するメニューディプレーが現れる。特定キースイッチをクイック録画キースイッチＱ、また、このキースイッチをおすことによって行われる録画予約機能をクイック録画予約と命名する。
【０００９】
リモートコントロールユニットなどのクイック録画キースイッチＱを一度押すと、この図１の最下部のようにクイック録画予約モードに入り、「30分後に一時間録画」と表示される。ここで、クイック録画キースイッチＱを押さないままで、一定時間経過すると、30分後に一時間録画の予約が行われる。または、当該一定時間経過する前に、クイック録画キースイッチＱを今一度押すと、それぞれの項目に、30分加算され、「一時間後に一時間30分録画」と表示される。このようにして、最大6時間まで設定できるようにしてよい。または、クイック録画キースイッチＱを押して、クイック録画モードに入ってから、もう一度クイック録画キースイッチＱを押すと、図１０に示すように待ち時間を３０分、録画時間を一時間加算するようにしてもよい。また、図１０に示すような文章で待ち時間と録画時間を表示してもよい。
【００１０】
リモートコントロールのキースイッチを使う現在時刻と待ち時間を設定する方法は他にいろいろな方法がある。たとえば、クイック録画キースイッチＱを押した後、テンキーの「６」と「０」と「２」を押すことによって、図２のメニュー画面に表示したように設定できる。すなわち、「六十分後に2時間録画」と設定できる。
【００１１】
また、録画チャンネルとモードは、クイック録画キースイッチＱを押したとき選択されていたチャンネルおよびモードのままとしてもよいが、これら以外のチャンネルとモードに変更できるように、録画チャンネルとモードを変更することができるようにしてもよい。
【００１２】
また、上記の録画時間と待ち時間の設定、および、録画チャンネルの設定のキー方法をクイック録画キースイッチＱとテンキーとのどちらでできるようにしてもよい。その手順を図5に示す。最初のクイック録画設定をオフか、オンとするかを選択できる。図１に示すようにオーディオビジュアル機器の設定メニューからクイック録画設定を選択して、これをＯＦＦに選択しておくと、クイック録画キースイッチＱを押しても、このオーディオビジュアル機器はこれを受容しない。ＯＮにしておく場合、クイック録画設定が図５の手順で行われる。続いて、テンキーの入力があるかどうかを検出して、入力があれば、上記のようなテンキーによる録画時間と録画待ち時間の設定がおこなわれる。テンキーの入力がない場合は、クイック録画キーが押されたか否かを検出し、押されなければ、現設定である「30分後に一時間録画」が設定されて、予約スタンバイモードに入る。このとき、その時点の時刻から内部カウンターで設定した待ち時間がカウントされることにより、録画記録ファイルに、録画開始時刻が設定され、待ち時間後に録画が開始される。また、クイック録画キーの押圧が検出されれば、押圧されるごとに、上述のように３０分ずつ加算される。クイック録画キーの押圧が検出されなければ、その表示された現設定が、予約されて、予約スタンバイモードに入る。同様に、このとき、その時点の時刻から内部カウンターで設定した待ち時間がカウントされることにより、録画記録ファイルに、録画開始時刻が設定され、待ち時間後に録画が開始される。図６の（ａ）又は（ｂ）に示すように予約スタンバイ中はオーディオビジュアル機器に予約中であるとの表示がＬＥＤなどによりおこなわれる。
【００１３】
この様にクイック録画予約により設定された条件に従い録画された録画履歴は、録画履歴ファイルとして外部メモリーに蓄積される。図７において、たとえば、図７Ａに示すようなクイック録画予約により設定された条件、クイック録画時間設定を一時間、待ち時間選定を３０分で、録画された履歴は、図７Ｂのようにメモリーに記録される。記録チャンネルと記録モードはこのクイック録画予約時のチャンネルとモードである。または、これをクイック録画予約時に設定するようにしてもよい。クイック録画予約に基づく録画履歴も、図７ＣないしＥに示すように履歴に基づく予約条件入力に利用できるので、録画予約が簡単に行える。また、図８に示したように、ワンタッチタイマーレコーディング機能により録画した条件の録画記録も、この履歴ファイルとして外部メモリーに蓄積される。
【００１４】
このように、通常予約のみならず、クイック録画予約による録画履歴やワンタッチタイマーレコーディング機能による録画履歴も蓄積されるので、履歴予約設定に際して、予約設定操作者が入力しないで、履歴を参照すれば入力がおこなわれる場合が増大して、録画予約が簡単に行えるようになる。
【００１５】
図９には、この発明を実施するための装置を図示した。制御部には、履歴処理部、録画時間設定処理部、および待ち時間設定処理部が備えられる。制御部は内部タイマーを有する。このタイマーは、クイック録画設定で設定された待ち時間のカウントに使用される。また、制御部によって、制御される外部メモリーＥ２ＰＲＯＭを備えている。このメモリーには、録画履歴、予約機能によって設定される録画時間、待ち時間などのさまざまな設定が蓄積される。
【００１６】
この実施例の説明によって、この発明による装置と方法は、例えば、外出するとき、眠るとき、希望するプログラムの視聴がしたいが、通常の予約録画設定は時間がかかりすぎ、わずらわしい場合、あるいは、開始時間のみがわかる場合など、簡単に予約設定を行うことができる。ＥＰＧなどのプログラムデータが対応されていなくても、時計が設定されていなくても、内部タイマーのカウントを使用するので、実現できる。
【００１７】
この発明はオーディオビジュアル機器であるテレビや、ＶＣＲ、またはＨＤレコーダー、ＤＶＣレコーダーなどに適用でき、オーディオビジュアルのプログラムの記録予約に適用できることは容易に理解できる。
【図面の簡単な説明】
【００１８】
【図１】この発明の実施例を説明するメニュー画面の遷移をそれぞれ示す概略図である。
【図２】この発明の実施例を説明する別のメニュー画面を示す概略図である。
【図３】この発明のオーディオビジュアル機器のリモートコントロールユニットの一部の図である。
【図４】この発明の実施例を説明する更なるメニュー画面の概略図である。
【図５】この発明の記録予約手順を示すチャート図である。
【図６】この発明のオーディオビジュアル機器として（ａ）にビデオ、（ｂ）にテレビのそれぞれの正面を示す概略図である。
【図７】この発明の別の実施例を示すメニュー画面の遷移を７Ａないし７Ｅでそれぞれ示す概略図である。
【図８】この発明を説明する履歴ファイルメニュー画面を示す概略図である。
【図９】この発明のオーディオビジュアル機器を示すブロック図である。
【図１０】この発明の実施例を説明する更なる別のメニュー画面を示す概略図である。
【符号の説明】
【００１９】
Ｐ  電源スイッチ
Ｑ  クイック録画キースイッチ
【図１】
2005175661.tif 000003
【図２】
2005175661.tif 000004
【図３】
2005175661.tif 000005
【図４】
2005175661.tif 000006
【図５】
2005175661.tif 000007
【図６】
2005175661.tif 000008
【図７】
2005175661.tif 000009
【図８】
2005175661.tif 000010
【図９】
2005175661.tif 000011
【図１０】
2005175661.tif 000012